(57)【要約】【解決手段】端子装置Ａの相対するケース垂直部１Ｂの一方のケース垂直部の垂直内壁１Ｂ１に、ケース側誤接続防止ピースＮ１を取り付けるとともに、プラグＰの相対する垂直側壁ｐ４の一方の垂直側壁に、プラグ側誤接続防止ピースＮ２を取り付け、ケース側誤接続防止ピースとプラグ側誤接続防止ピースとが対向するように、端子装置のプラグ嵌合凹部Ｃ１に、プラグを嵌合した際には、ケース側誤接続防止ピースとプラグ側誤接続防止ピースとが正常嵌合状態となるように構成したものである。【効果】端子装置のプラグ嵌合凹部に、プラグが、誤接続状態に接続されるようなことを、確実に防止することができる。【選択図】図２
2011108559.tif 000002
【特許請求の範囲】
【請求項１】
端子装置とプラグからなる誤接続防止機構付き電気機器において、前記端子装置の相対するケース垂直部の一方のケース垂直部の垂直内壁には、ケース側誤接続防止ピースが取り付けられているとともに、前記プラグの相対する垂直側壁の一方の垂直側壁には、プラグ側誤接続防止ピースが取り付けられており、前記ケース側誤接続防止ピースと前記プラグ側誤接続防止ピースとが対向するように、端子装置のプラグ嵌合凹部に、プラグが嵌合された際には、前記ケース側誤接続防止ピースと前記プラグ側誤接続防止ピースとが正常嵌合状態となり、また、前記ケース側誤接続防止ピースと前記プラグの相対する垂直側壁のもう一方の垂直側壁とが対向するように、前記端子装置のプラグ嵌合凹部に、前記プラグが嵌合された際には、前記プラグのもう一方の垂直側壁の下端が、前記ケース側誤接続防止ピースの誤接続防止用垂直突条の上端に当接するように構成されており、前記端子装置と前記プラグとが誤って、接続されないように構成されていることを特徴とする電気機器。
【請求項２】
前記ケース側誤接続防止ピースと前記プラグ側誤接続防止ピースの一組とを同じ色とするとともに、前記ケース側誤接続防止ピースと前記プラグ側誤接続防止ピースの他の一組とを同じ色とし、且つ、前記ケース側誤接続防止ピースと前記プラグ側誤接続防止ピースの一組と、前記ケース側誤接続防止ピースと前記プラグ側誤接続防止ピースの他の一組の色とが、別の色に形成されていることを特徴とする請求項１に記載の電気機器。
【発明の詳細な説明】
【技術分野】
【０００１】
本発明は、端子装置と該端子装置に接続されるプラグとからなる電気機器の誤接続を防止するための電気機器に関するものである。
【背景技術】
【０００２】
端子装置に形成された相対する一方の側壁側に偏在された凹部と、プラグに形成された相対する一方の側壁側に偏在された凸部とからなる電気機器の誤接続防止機構が、一例として、特許文献１に開示されている。
【先行技術文献】
【特許文献】
【０００３】
【特許文献１】特表２００９−５２７０７２号公報
【発明の概要】
【発明が解決しようとする課題】
【０００４】
上述した電気機器の誤接続防止機構においては、端子装置に形成された凹部の偏在量と、プラグに形成された凸部の偏在量とが、視認できる程度に、大きくないので、端子装置に形成された凹部へのプラグに形成された凸部の正常な嵌合作業に、時間がかかるという問題があった。
【０００５】
また、端子装置とプラグとの組み合わせは、一通りではなく、端子装置に、性能や機能の異なるプラグを接続することがあるが、誤って、端子装置に、端子装置に、適切に対応しないプラグが接続されるという問題があった。
【０００６】
本発明の目的は、上述した従来の誤接続防止機構付き電気機器が有する課題を解決することにある。
【課題を解決するための手段】
【０００７】
本発明は、上述した目的を達成するために、端子装置とプラグからなる誤接続防止機構付き電気機器において、第１には、端子装置の相対するケース垂直部の一方のケース垂直部の垂直内壁に、ケース側誤接続防止ピースを取り付けるとともに、プラグの相対する垂直側壁の一方の垂直側壁に、プラグ側誤接続防止ピースを取り付け、ケース側誤接続防止ピースとプラグ側誤接続防止ピースとが対向するように、端子装置のプラグ嵌合凹部に、プラグを嵌合した際には、ケース側誤接続防止ピースとプラグ側誤接続防止ピースとが正常嵌合状態となり、また、ケース側誤接続防止ピースとプラグの相対する垂直側壁のもう一方の垂直側壁とが対向するように、端子装置のプラグ嵌合凹部に、プラグを嵌合した際には、プラグのもう一方の垂直側壁の下端が、ケース側誤接続防止ピースの誤接続防止用垂直突条の上端に当接するように構成し、端子装置とプラグとが誤って、接続されないように構成したものであり、第２には、ケース側誤接続防止ピースとプラグ側誤接続防止ピースの一組とを同じ色とするとともに、ケース側誤接続防止ピースとプラグ側誤接続防止ピースの他の一組とを同じ色とし、且つ、ケース側誤接続防止ピースとプラグ側誤接続防止ピースの一組と、ケース側誤接続防止ピースとプラグ側誤接続防止ピースの他の一組の色を別の色としたものである。
【発明の効果】
【０００８】
本発明は、上述した構成を有しているので、以下に記載する効果を奏することができる。
【０００９】
端子装置とプラグからなる誤接続防止機構付き電気機器において、端子装置の相対するケース垂直部の一方のケース垂直部の垂直内壁に、ケース側誤接続防止ピースを取り付けるとともに、プラグの相対する垂直側壁の一方の垂直側壁に、プラグ側誤接続防止ピースを取り付け、ケース側誤接続防止ピースとプラグ側誤接続防止ピースとが対向するように、端子装置のプラグ嵌合凹部に、プラグを嵌合した際には、ケース側誤接続防止ピースとプラグ側誤接続防止ピースとが正常嵌合状態となり、また、ケース側誤接続防止ピースとプラグの相対する垂直側壁のもう一方の垂直側壁とが対向するように、端子装置のプラグ嵌合凹部に、プラグを嵌合した際には、プラグのもう一方の垂直側壁の下端が、ケース側誤接続防止ピースの誤接続防止用垂直突条の上端に当接するように構成したので、端子装置のプラグ嵌合凹部に、プラグが、誤接続状態に接続されるようなことを、確実に防止することができる。
【００１０】
ケース側誤接続防止ピースとプラグ側誤接続防止ピースの一組とを同じ色とするとともに、ケース側誤接続防止ピースとプラグ側誤接続防止ピースの他の一組とを同じ色とし、且つ、ケース側誤接続防止ピースとプラグ側誤接続防止ピースの一組と、ケース側誤接続防止ピースとプラグ側誤接続防止ピースの他の一組の色を別の色としたので、端子装置のプラグ嵌合凹部に、他のプラグが、嵌合されるようなことを、確実に、且つ、迅速に防止することができる。
【図面の簡単な説明】
【００１１】
【図１】図１は、本発明の電気機器を構成する端子装置の斜視図である。
【図２】図２は、本発明の電気機器を構成する端子装置の分解斜視図である。
【図３】図３は、本発明の電気機器の端子装置を構成する半割り体の斜視図である。
【図４】図４は、本発明の電気機器を構成する端子装置の垂直断面図である。
【図５】図５は、本発明の電気機器の端子装置内に配設される端子金具部材の斜視図である。
【図６】図６は、本発明の電気機器を構成する端子装置内に、ケーブルが配設された状態の端子装置の垂直断面図である。
【図７】図７は、本発明の電気機器を構成するプラグの斜視図である。
【図８】図８は、本発明の電気機器を構成するプラグの分解斜視図である。
【図９】図９は、本発明の電気機器を構成するプラグの垂直断面図である。
【図１０】図１０は、本発明の電気機器を構成するケース側誤接続防止ピースの斜視図である。
【図１１】図１１は、本発明の電気機器を構成するケース側誤接続防止ピースの裏面斜視図である。
【図１２】図１２は、本発明の電気機器を構成するプラグ側誤接続防止ピースの斜視図である。
【図１３】図１３は、本発明の電気機器を構成するプラグ側誤接続防止ピースの裏面斜視図である。
【図１４】図１４は、本発明の電気機器を構成する端子装置の半割り体に、端子金具部材が配設された状態の斜視図である。
【図１５】図１５は、本発明の電気機器を構成するプラグに、プラグ側誤接続防止ピースが取り付けられた状態の垂直断面図である。
【図１６】図１６は、本発明の電気機器を構成するプラグの斜視図である。
【図１７】図１７は、同じく、本発明の電気機器を構成するプラグの斜視図である。
【図１８】図１８は、本発明の電気機器を構成する端子装置とプラグの分解斜視図である。
【図１９】図１９は、本発明の電気機器を構成する端子装置とプラグの分解正面図である。
【図２０】図２０は、本発明の電気機器の正面図である。
【図２１】図２１は、本発明の電気機器を構成するケース側誤接続防止ピースとプラグ側誤接続防止ピースの斜視図である。
【図２２】図２２は、本発明の電気機器の正面図である。
【図２３】図２３は、本発明の電気機器を構成するケース側誤接続防止ピースとプラグ側誤接続防止ピースの別の実施例の斜視図である。
【実施例】
【００１２】
以下に、本発明の実施例について説明するが、本発明の趣旨を越えない限り、何ら、実施例に限定されるものではない。
【００１３】
先ず最初に、図１〜図４を用いて、本発明の電気機器の誤接続防止機構を構成する端子装置Ａについて説明する。
【００１４】
端子装置Ａは、水平部１ａ’と該水平部１ａ’の両端部に立設された垂直部１ｂ’とからなる同一形状の２個の半割り体１’の垂直端面１”を、互いに接合することにより形成される絶縁性のケース１を有している。
【００１５】
水平部１ａ’の天板１ａ１’には、逆台形状の嵌合凹部１ａ２’が形成されており、該嵌合凹部１ａ２’は、水平部１ａ’の中心に形成されておらず、相対する垂直部１ｂ’のうち、一方の垂直部１ｂ’側に偏在するように構成されている。嵌合凹部１ａ２’が偏在している以外は、半割り体１’は、半割り体１’の垂直中心線Ｌ１に対して対称に形成されている。
【００１６】
一対の垂直部１ｂ’は、垂直外壁１ｂ１’と垂直内壁１ｂ２’と天板１ｂ３’とを有しており、垂直外壁１ｂ１’には、ケーブルが導入されるケーブル導入用凹部１ｂ１”が、それぞれ形成されている。また、天板１ｂ３’には、半円形状の凹部１ｂ３”が、それぞれ形成されており、更に、水平部１ａ’の天板１ａ１’には、後述するプラグ内に配設された保安器等の接続端子片が挿入されるスリットを形成する凹部１ａ１”が形成されている。
【００１７】
また、半割り体１’を構成する一対の垂直部１ｂ’のうち、一方の垂直部１ｂ’の垂直内壁１ｂ２’の下部には、後述するプラグ誤接続防止部材の一部が挿入される略方形状の凹部１ｂ２”が形成されている。本実施例においては、図３の左側に位置する垂直内壁１ｂ２’に、略方形状の凹部１ｂ２”が形成されており、右側に位置する垂直内壁１ｂ２’には、このような凹部１ｂ２”は形成されていない。更に、相対する垂直内壁１ｂ２’の垂直縁部１ｃ’には、該垂直縁部１ｃ’に沿って、垂直ガイド突条１ｄ’が形成されている。
【００１８】
図１に示されているように、上述した半割り体１’の垂直端面１”を、互いに接合することにより形成される絶縁性のケース１には、一対の半割り体１’の水平部１ａ’からなるケース水平部１Ａと、一対の半割り体１’の垂直部１ｂ’からなる、相対するケース垂直部１Ｂが形成されており、また、ケース水平部１Ａと、該ケース水平部１Ａの両端部に形成された相対する一対のケース垂直部１Ｂとにより、ケース１には、後述するプラグが嵌合されるプラグ嵌合用凹部１Ｃが形成されている。
【００１９】
また、上述した半割り体１’の垂直端面１”を、互いに接合することにより形成されるケース１を構成するケース垂直部１Ｂの天板１ｂ３（上述した、一対の垂直部１ｂ’の天板１ｂ３’により形成されている。）には、後述するケーブルの導線を緊締するボルトを操作するドライバーが挿入可能で、且つ、導線が緊締されているか否かを確認するための透孔１Ｄ（上述した、一対の垂直部１ｂ’の天板１ｂ３’に形成された半円形状の凹部１ｂ３”により形成されている。）が形成されている。
【００２０】
更に．上述した半割り体１’の垂直端面１”を、互いに接合することにより形成されるケース１には、半割り体１’の垂直外壁１ｂ１’に形成されたケーブル導入用凹部１ｂ１”により形成されるケーブルが導入されるケーブル導入用透孔１Ｅが形成されている。
【００２１】
更にまた、上述した半割り体１’の垂直端面１”を、互いに接合することにより形成されるケース１には、水平部１ａ’に形成された逆台形状の凹部１ａ２’により、逆台形状の嵌合凹部１Ｆが形成されている。
【００２２】
なお更に、上述した半割り体１’の垂直端面１”を、互いに接合することにより形成されるケース１の一方のケース垂直部１Ｂの下部には、略方形状の凹部１ｂ２”により形成される、後述するプラグ誤接続防止部材の一部が挿入される略方形状の透孔１Ｇが形成されている。
【００２３】
更になお、上述した半割り体１’の垂直端面１”を、互いに接合することにより形成されるケース１のケース水平部１Ａには、水平部１ａ’の天板１ａ１’に形成された凹部１ａ１”により形成される、後述するプラグ内に配設された保安器等の端子片が挿入されるスリット１Ｈが形成されている。
【００２４】
また更に、上述した半割り体１’の垂直端面１”を、互いに接合することにより形成されるケース１のケース垂直部１Ｂの相対する垂直内壁１Ｂ１には、半割り体１’の垂直内壁１ｂ２’に形成された垂直ガイド突条１ｄ’からなる垂直ガイド突条１Ｊが形成されている。
【００２５】
次に、図２及び図５を用いて、上述した半割り体１’の垂直端面１”を、互いに接合することにより形成されたケース１内に収納される端子金具部材２について説明する。
【００２６】
端子金具部材２は、端子金具本体２Ａと、該端子金具本体２Ａに配設される略口状の締め付け金具２Ｂとから構成されている。
【００２７】
端子金具本体２Ａは、後述するボルトが挿通可能なボルト挿通孔２ａ１が穿設されている上部水平部２ａと、該上部水平部２ａの一端から垂設された上部垂直部２ｂと、該上部垂直部２ｂの下端から、上部水平部２ａと平行に延在する中間水平部２ｃと、該中間水平部２ｃの端部から垂設された中間垂直部２ｄと、該中間垂直部２ｄの下端から、中間水平部２ｃから遠ざかる方向に水平に延在する下部水平部２ｅと、該下部水平部２ｅの端部に垂設された下部垂直部２ｆと、該下部垂直部２ｆの下端から遠ざかるように、水平方向に延在する端子受け台座部２ｇとから構成されており、端子受け台座部２ｇには、該端子受け台座部２ｇの相対する辺部に、互いに接近する方向に延在する一対の端子受け片２ｈ１が立設されており、一対の端子受け片２ｈ１の上端部には、後述するプラグ内に配設された保安回路等の接続端子片が挟持される間隙２ｈ２が形成されている。
【００２８】
略口状の締め付け金具２Ｂを構成する上部水平枠２ｉ’には、螺子孔２ｉ１が刻設されている。締め付け金具２Ｂを、螺子孔２ｉ１が穿設された上部水平枠２ｉ’が上方に位置するように、端子金具本体２Ａを構成する中間水平部２ｃに嵌合する。次いで、端子金具本体２Ａを構成する上部水平部２ａに穿設されたボルト挿通孔２ａ１に、上方から、ボルトＢの螺子部ｂ１を挿通するとともに、該螺子部ｂ１を、締め付け金具２Ｂを構成する上部水平枠２ｉ’に刻設された螺子孔２ｉ１に螺合させることにより、端子金具本体２Ａに、締め付け金具２Ｂを配設する。
【００２９】
次に、図３、図５及び図６を用いて、ケース１内への端子金具部材２の配設について説明する。
【００３０】
ケース１を構成する半割り体１’の垂直部１ｂ’には、垂直部１ｂ’を構成する垂直外壁１ｂ１’と垂直内壁１ｂ２’との間に、垂直部１ｂ’の天板１ｂ３’から下方に延在する垂直隔壁１ｅ’が形成されており、垂直外壁１ｂ１’と垂直隔壁１ｅ’と天板１ｂ３’とにより形成される上部空間部Ｓ１’には、端子金具部材２を構成する上部水平部２ａと上部垂直部２ｂと中間水平部２ｃと端子金具部材２を構成する締め付け金具２Ｂが収容されている。また、端子金具本体２Ａの上部水平部２ａの先端部が、垂直隔壁１ｅ’の上部に形成された上部水平スリット１ｅ１’に嵌合されるとともに、端子金具本体２Ａの中間水平部２ｃが、垂直隔壁１ｅ’の中央部に形成された中央部水平スリット１ｅ２’に嵌合されるように構成されている。
【００３１】
また、端子金具本体２Ａには、垂直隔壁１ｅ’と垂直内壁１ｂ２’と垂直内壁１ｂ２’の垂直外壁１ｂ１’側に形成された下部水平リブ１ｆ’とにより形成される中間空間部Ｓ２’が形成されており、中間空間部Ｓ２’には、端子金具本体２Ａの中間水平部２ｃの一部と中間垂直部２ｄと下部水平部２ｅとが収容されるように構成されている。中間空間部Ｓ２’内に位置する端子金具本体２Ａの中間垂直部２ｄと垂直内壁１ｂ２’との間には、後述する誤接続防止部材を構成するケース側ピースが嵌合する間隙Ｗ１が形成されている。
【００３２】
更に、端子金具本体２Ａには、半割り体１’の水平部１ａ’内に形成された下部空間部Ｓ３’が形成されており、下部空間部Ｓ３’には、端子金具本体２Ａの下部水平部２ｅの一部と下部垂直部２ｆと端子受け台座部２ｇと端子受け片２ｈ１が収納されるように構成されている。端子金具本体２Ａの下部水平部２ｅは、半割り体１’の水平部１ａ’を構成する天板１ａ１’と下部水平リブ１ｆ’との間に形成されたスリット１ｇ’に挿入されるように構成されている。
【００３３】
上述したようにして、半割り体１’に、端子金具本体２Ａと締め付け金具２Ｂとからなる端子金具部材２が収容されることになる。
【００３４】
このようにして、一対の端子金具部材２を、一方の半割り体１’に取り付け、その後、もう一方の半割り体１’を、一方の半割り体１’により被蓋することにより、端子装置Ａが構成されることになる。なお、端子装置Ａに、ケーブルＣを接続する場合には、締め付け金具２Ｂの下部水平枠２ｉ”と端子金具本体２Ａの中間水平部２ｃとの間に形成された間隙に、ケーブルＣの導線ｃ１を挿入するとともに、ボルトＢを回転させて、締め付け金具２Ｂの下部水平枠２ｉ”と端子金具本体２Ａの中間水平部２ｃとにより、導線ｃ１を挟持する。
【００３５】
次に、図７〜図９を用いて、ケース１に形成されたプラグ嵌合用凹部１Ｃに嵌合されるプラグＰについて説明する。
【００３６】
プラグＰは、一側が開放された箱状のプラグ本体Ｐ１と、開放された一側を被蓋する板状の蓋体Ｐ２とから構成されている。
【００３７】
プラグ本体Ｐ１は、天部ｐ１と奥壁ｐ２と底部ｐ３と相対する垂直側壁ｐ４とから、一側が開放された箱状に形成されている。
【００３８】
底部ｐ３には、上述したケース１のケース水平部１Ａに形成された逆台形状の嵌合凹部１Ｆに嵌合可能な、同じく逆台形状の嵌合凸部ｐ３ａが下方に向けて形成されている。嵌合凸部ｐ３ａも、ケース１に形成された逆台形状の嵌合凹部１Ｆと同様に、プラグ本体Ｐ１の相対する垂直側壁ｐ４の一方の垂直側壁ｐ４側に偏在するように構成されている（図７〜図９には、左側に位置する垂直側壁ｐ４側に偏在している例が示されている。）。また、嵌合凸部ｐ３ａを挟んで位置する底部ｐ３の水平部ｐ３ｂには、水平部ｐ３ｂの端縁ｐ３ｂ’から、奥壁ｐ２方向に延在する一対の切欠き凹部ｐ３ｃが形成されている。
【００３９】
プラグ本体Ｐ１の相対する垂直側壁ｐ４のうちの一方の垂直側壁ｐ４の下端部には、後述するプラグ側誤接続防止ピースが装着されるプラグ側誤接続防止ピース装着用凹部ｐ５が形成されている。プラグ側誤接続防止ピース装着用凹部ｐ５は、奥壁ｐ５ａと相対する垂直側壁ｐ５ｂとを有しており、プラグ側誤接続防止ピース装着用凹部ｐ５の外側部、上部及び下部は開放されている。また、奥壁ｐ５ａには、水平方向に延在するスリットｐ５ａ’が穿設されている。更に、プラグ側誤接続防止ピース装着用凹部ｐ５が形成されている一方の垂直側壁ｐ４の外面ｐ４ａには、垂直状ガイド溝ｐ６が形成されており、垂直状ガイド溝ｐ６の下端は、プラグ側誤接続防止ピース装着用凹部ｐ５に連通しているとともに、垂直状ガイド溝ｐ６の上端ｐ６ａは、一方の垂直側壁ｐ４の上部まで延在している。更にまた、垂直状ガイド溝ｐ６は、一方の側壁ｐ４の垂直中心線に沿って形成されている。
【００４０】
プラグ本体Ｐ１の相対する垂直側壁ｐ４のもう一方の側壁ｐ４、即ち、プラグ側誤接続防止ピース装着用凹部ｐ５が形成されていない側壁ｐ４の外面ｐ４ａにも、該側壁ｐ４の垂直中心線に沿って形成された、上述した一方の側壁ｐ４に形成された垂直状ガイド溝ｐ６と同様に垂直状ガイド溝ｐ７が形成されている。該垂直状ガイド溝ｐ７の下端は、プラグ本体Ｐ１を構成する底部ｐ３の水平部ｐ３ｂの下面ｐ３ｂ”まで達しているとともに、垂直状ガイド溝ｐ７の上端ｐ７ａは、もう一方の側壁ｐ４の上部まで延在している。
【００４１】
プラグＰを構成する板状の蓋体Ｐ２は、プラグ本体Ｐ１の開放部を被蓋するように構成されており、プラグ本体Ｐ１の開放部と同一形状に形成されている。従って、蓋体Ｐ２の水平下端縁ｐ８には、上述した逆台形状の嵌合凸部ｐ３ａと同様の逆台形状の板状凸部ｐ９が形成されている。また、蓋体Ｐ２の内面（蓋体Ｐ２を、プラグ本体Ｐ１に被蓋した際に、プラグ本体Ｐ１内に位置する面）ｐ１０側に位置する水平下端縁ｐ８には、逆台形状の板状凸部ｐ９を挟むように、且つ、蓋体Ｐ２の内面ｐ１０に垂直な一対の嵌合突片ｐ１１が形成されている。該一対の嵌合突片ｐ１１は、プラグ本体Ｐ１を、蓋体Ｐ２で被蓋した際に、プラグ本体Ｐ１の底部ｐ３の水平部ｐ３ｂに形成された一対の切欠き凹部ｐ３ｃに、それぞれ、嵌合するように構成されている。
【００４２】
次に、図１０及び図１１を用いて、ケース１に配設される誤接続防止機構Ｎを構成するケース側誤接続防止ピースＮ１の一例について説明する。ケース側誤接続防止ピースＮ１は、ケース１の相対する一対のケース垂直部１Ｂのうち、一方のケース垂直部１Ｂの下部に形成された略方形状の透孔１Ｇに装着されるように構成されている。
【００４３】
ケース側誤接続防止ピースＮ１は、幅広な相対する垂直側面ｎ１と幅狭な相対する垂直側面ｎ２と上端面ｎ３と底面ｎ４とからなるブロック状のピース本体Ｎ１’を有している。
【００４４】
ピース本体Ｎ１’の一方の垂直側面ｎ１は、平坦な垂直面として形成されており、ピース本体Ｎ１’のもう一方の垂直側面ｎ１には、垂直方向に延在する所定数の誤接続防止用垂直突条ｎ５が形成されている。また、ピース本体Ｎ１’の上端面ｎ３と誤接続防止用垂直突条ｎ５が形成されている垂直側面ｎ１とにより形成される角部には、上部水平切欠き部ｎ６が形成されており、このような上部水平切欠き部ｎ６を形成することにより、ピース本体Ｎ１’には、上部係合水平突条ｎ７が形成されている。更に、ピース本体Ｎ１’の底面ｎ４と誤接続防止用垂直突条ｎ５が形成されているもう一方の垂直側面ｎ１とにより形成される角部にも、下部水平切欠き部ｎ８が形成されており、このような下部水平切欠き部ｎ８を形成することにより、ピース本体Ｎ１’には、下部係合水平突条ｎ９が形成されている。
【００４５】
次に、図１２及び図１３を用いて、プラグＰに形成されたプラグ側誤接続防止ピース装着用凹部ｐ５に装着されるプラグ側誤接続防止ピースＮ２について説明する。
【００４６】
プラグ側誤接続防止ピースＮ２は、幅広な相対する垂直側面ｎ１０と幅狭な相対する垂直側面ｎ２０と上端面ｎ３０と底面ｎ４０とからなるブロック状のピース本体Ｎ２’を有している。幅広な相対する垂直側面ｎ１０の一方の垂直側面ｎ１０は、平坦な垂直面として形成されており、また、幅広な相対する垂直側面ｎ１０のもう一方の垂直側面ｎ１０には、垂直方向に延在する所定数の垂直突条ｎ５０が形成されており、隣り合う垂直突条ｎ５０間には、上述したケース側誤接続防止ピースＮ１のピース本体Ｎ１’のもう一方の垂直側面ｎ１に形成された誤接続防止用垂直突条ｎ５が、挿入可能な誤接続防止用垂直溝ｎ６０が形成されている。
【００４７】
また、プラグ側誤接続防止ピースＮ２の垂直突条ｎ５０が形成されていない、もう一方の垂直側面ｎ１０の下部には、所定数の係止フックｎ７０が形成されており、係止フックｎ７０は、水平部ｎ７１と、該水平部ｎ７１の先端部から、下方に延在する係止フック部ｎ７２とから形成されている。
【００４８】
次に、ケース１へのケース側誤接続防止ピースＮ１の取り付けについて説明する。
【００４９】
図６に示されているように、ケース１を構成する一方の半割り体１’に、端子金具２を収容した際には、端子金具２の中間垂直部２ｄと、半割り体１’の垂直内壁１ｂ２’との間には、ケース側誤接続防止ピースＮ１のピース本体Ｎ１’が嵌合可能な間隙Ｗ１が形成されている。この間隙Ｗ１に、ピース本体Ｎ１’の幅狭な相対する垂直側面ｎ２側の略半分を嵌合する。間隙Ｗ１に、ピース本体Ｎ１’の幅狭な相対する垂直側面ｎ２側の略半分を嵌合する際には、図１４に示されているように、ピース本体Ｎ１’が、一方の半割り体１’の垂直内壁１ｂ２’の下部に形成された略方形状の凹部１ｂ２”内に位置するように構成されているとともに、誤接続防止用垂直突条ｎ５が、半割り体１’を構成する垂直部１ｂ’の垂直内壁１ｂ２’から、外側に突出するように構成されている。
【００５０】
また、ピース本体Ｎ１’に形成された上部係合水平突条ｎ７及び下部係合水平突条ｎ９は、一方の半割り体１’の垂直内壁１ｂ２’の内壁面に当接或いは近接して位置するように構成されている。このように構成することにより、一方の半割り体１’の垂直内壁１ｂ２’の下部に形成された略方形状の凹部１ｂ２”に収容されたケース側誤接続防止ピースＮ１が、移動するようなことを防止することができる。その後、ケース１を構成するもう一方の半割り体１’を、端子金具２及びケース側誤接続防止ピースＮ１が取り付けられた一方の半割り体１’に接合することにより、ケース１が組み立てられる。なお、ケース側誤接続防止ピースＮ１は、ケース１を構成する相対するケース垂直部１Ｂのうちの一方のケース垂直部１Ｂにのみ配設されることになる。
【００５１】
なお、上述したように、ケース１に、端子金具２を収容した際には、ボルトＢが、ケース垂直部１Ｂの天板１ｂ３に形成された透孔１Ｄの上方に位置するように構成されている。また、ケース１のケース水平部１Ａに形成されたスリット１Ｈの下方には、端子金具２の一対の端子受け片２ｈ１により形成される間隙２ｈ２が、保安回路等の接続端子片を挟持できるように配置される。
【００５２】
次に、プラグＰへのプラグ側誤接続防止ピースＮ２の取り付けについて説明する。
【００５３】
プラグ本体Ｐ１の相対する垂直側壁ｐ４のうちの一方の垂直側壁ｐ４の下端部に形成されたプラグ側誤接続防止ピース装着用凹部ｐ５に、プラグ側誤接続防止ピースＮ２に形成された係止フックｎ７０が、奥壁ｐ５ａに穿設されたスリットｐ５ａ’に挿入されるように、プラグ側誤接続防止ピースＮ２を、プラグ側誤接続防止ピース装着用凹部ｐ５に嵌合する。この際、プラグ側誤接続防止ピースＮ２の幅広な相対する垂直側面ｎ１０に形成されている垂直突条ｎ５０の上端面ｎ５１より上に位置するブロック状のピース本体Ｎ２’の上端部が、プラグ側誤接続防止ピース装着用凹部ｐ５を形成する奥壁ｐ５ａの上部に形成されている間隙ｐ８に嵌合されるように構成されている。また、プラグ側誤接続防止ピースＮ２を、プラグ側誤接続防止ピース装着用凹部ｐ５に嵌合した際には、プラグ側誤接続防止ピースＮ２に形成された係止フックｎ７０の係止フック部ｎ７２が、図１５に示されているように、スリットｐ５ａ’の下方に位置する奥壁ｐ５ａの内壁面に係止されるように構成されている。
【００５４】
その後、プラグ本体Ｐ１に、蓋体Ｐ２を被蓋することになるが、プラグ本体Ｐ１に、蓋体Ｐ２が被蓋された際には、プラグ本体Ｐ１の底部ｐ３の水平部ｐ３ｂに形成された切欠き凹部ｐ３ｃに、蓋体Ｐ２に形成された嵌合突片ｐ１１が嵌合するように構成されているとともに、プラグ本体Ｐ１の底部ｐ３の水平部ｐ３ｂに形成された切欠き凹部ｐ３ｃの全体が、蓋体Ｐ２に形成された嵌合突片ｐ１１により塞がれることなく、プラグ本体Ｐ１の底部ｐ３の水平部ｐ３と蓋体Ｐ２に形成された嵌合突片ｐ１１との間には、プラグＰに配設された保安器等の接続端子片ｓ１が挿入される間隙Ｗ２が形成されるように構成されている。
【００５５】
上述したように、プラグＰに、プラグ側誤接続防止ピースＮ２が取り付けられた際には、プラグ側誤接続防止ピースＮ２の幅広な相対する垂直側面ｎ１０の一方の垂直側面ｎ１０に形成されている所定数の垂直突条ｎ５０が、プラグ本体Ｐ１の垂直側壁ｐ４の外面ｐ４ａと略面一になるように構成されている。また、プラグＰに、プラグ側誤接続防止ピースＮ２が取り付けられた際には、プラグ本体Ｐ１の垂直側壁ｐ４に形成された垂直状ガイド溝ｐ６の奥壁ｐ６ａと、ブロック状のピース本体Ｎ２’の幅広な相対する垂直側面ｎ１０とが略面一になるように構成されている。
【００５６】
次に、図１８〜図２２を用いて、端子装置Ａの絶縁性のケース１に形成されたプラグ嵌合用凹部１Ｃに、プラグＰを嵌合するプラグ嵌合工程について説明する。
【００５７】
上述したように、ケース１のケース水平部１Ａに形成された逆台形状の凹部１Ｆは、ケース１の垂直中心線Ｌ１から、相対する垂直内壁１Ｂ１のうちの一方の垂直内壁１Ｂ１側に偏在している。即ち、図１９に示されているように、逆台形状の凹部１Ｆの垂直中心線Ｌ１ａは、端子装置Ａの絶縁性のケース１の垂直中心線Ｌ１から、水平偏在距離Ｘ１だけ偏在している。
【００５８】
また、上述したように、プラグＰの底部ｐ３に形成された逆台形状の嵌合凸部ｐ３ａは、プラグＰの垂直中心線Ｌ２から、相対する垂直側壁ｐ４のうちの一方の垂直な側壁ｐ４側に偏在している。即ち、図９や図１９に示されているように、逆台形状の嵌合凸部ｐ３ａの垂直中心線Ｌ２ａは、プラグＰの垂直中心線Ｌ２から、水平偏在距離Ｘ２だけ偏在しており、この水平偏在距離Ｘ２は、上述した端子装置Ａの水平偏在距離Ｘ１と同じになるように構成されている。
【００５９】
図１９に示されているように、プラグＰを、ケース１のプラグ嵌合用凹部１Ｃに嵌合する際に、ケース１に形成された逆台形状の凹部１Ｆの垂直中心線Ｌ１ａと、プラグＰに形成された逆台形状の嵌合凸部ｐ３ａの垂直中心線Ｌ２ａとが一致するように配置することにより、図２０に示されているように、プラグＰに形成された逆台形状の嵌合凸部ｐ３ａが、ケース１に形成された逆台形状の凹部１Ｆに嵌合されるように構成されている。また、このように、プラグＰとケース１とを配置した際には、ケース１の相対するケース垂直部１Ｂの一方の略方形状の透孔１Ｇに取り付けられたケース側誤接続防止ピースＮ１と、プラグＰの相対する垂直側壁ｐ４の一方の垂直側壁ｐ４に形成されたプラグ側誤接続防止ピース装着用凹部ｐ５に取り付けられたプラグ側誤接続防止ピースＮ２とが、互いに、対向するように構成されている。このように、プラグＰに形成された逆台形状の嵌合凸部ｐ３ａと、ケース１に形成された逆台形状の凹部１Ｆとが、互いに、嵌合される状態を、プラグＰと端子装置Ａの正常嵌合状態と称する。
【００６０】
上述したプラグＰと端子装置Ａの正常嵌合状態においては、ケース１の垂直部１Ｂの相対する垂直内壁１Ｂ１に、それぞれ、突設された垂直ガイド突条１Ｊが、プラグＰの相対する垂直側壁ｐ４の外面ｐ４ａに、それぞれ、形成された垂直状ガイド溝ｐ６に嵌合されるように構成されている。
【００６１】
また、上述したプラグＰと端子装置Ａの正常嵌合状態においては、端子装置Ａのケース１の相対するケース垂直部１Ｂの一方に取り付けられたケース側誤接続防止ピースＮ１に形成された誤接続防止用垂直突条ｎ５が、プラグＰの相対する垂直側壁ｐ４の一方の側壁ｐ４に取り付けられたプラグ側誤接続防止ピースＮ２に形成された垂直突条ｎ５０間に位置する誤接続防止用垂直溝ｎ６０に嵌合されるように構成されている。このように、端子装置Ａのケース１の相対するケース垂直部１Ｂの一方に取り付けられたケース側誤接続防止ピースＮ１と、プラグＰの相対する垂直側壁ｐ４の一方の側壁ｐ４に取り付けられたプラグ側誤接続防止ピースＮ２とが、互いに、嵌合された状態を、ケース側誤接続防止ピースＮ１とプラグ側誤接続防止ピースＮ２の正常嵌合状態と称する。
【００６２】
上述したプラグＰと端子装置Ａの正常嵌合状態から、プラグＰを、プラグＰの垂直中心線Ｌ２を中心に、１８０度回転させると、図２２に示されているように、平面的に見て、プラグＰに形成された逆台形状の嵌合凸部ｐ３ａが、ケース１に形成された逆台形状の凹部１Ｆに対して、横方向にずれた位置に配置されることになり、従って、プラグＰに形成された逆台形状の嵌合凸部ｐ３ａが、ケース１に形成された逆台形状の凹部１Ｆに嵌合されることはない。このように、プラグＰに形成された逆台形状の嵌合凸部ｐ３ａと、ケース１に形成された逆台形状の凹部１Ｆとが、互いに、嵌合されない状態を、プラグＰと端子装置Ａの誤接続状態と称する。
【００６３】
また、上述したプラグＰと端子装置Ａの誤接続状態においては、ケース１の相対するケース垂直部１Ｂの一方に取り付けられたケース側誤接続防止ピースＮ１と、プラグＰの相対する垂直側壁ｐ４の一方の側壁ｐ４に形成されたプラグ側誤接続防止ピース装着用凹部ｐ５に取り付けられたプラグ側誤接続防止ピースＮ２とが、互いに、対向することはない。従って、ケース１の相対するケース垂直部１Ｂの一方に取り付けられたケース側誤接続防止ピースＮ１は、プラグＰの相対する垂直側壁ｐ４のもう一方のプラグ側誤接続防止ピース装着用凹部ｐ５に取り付けられていない垂直側壁ｐ４と対向することになる。このような状態で、プラグＰを、ケース１のプラグ嵌合用凹部１Ｃに嵌合すると、プラグＰの相対する垂直側壁ｐ４のもう一方のプラグ側誤接続防止ピース装着用凹部ｐ５が取り付けられていない垂直側壁ｐ４の下端が、ケース垂直部１Ｂの垂直内壁１Ｂ１から突出しているケース側誤接続防止ピースＮ１の誤接続防止用垂直突条ｎ５の上端に当接し、プラグＰと端子装置Ａとが誤って、接続されないように構成されている。
【００６４】
上述したように、端子装置Ａに形成された逆台形状の凹部１Ｆと、プラグＰに形成された逆台形状の嵌合凸部ｐ３ａとを、共に、偏在させることにより、プラグＰと端子装置Ａとの誤った接続を防止することができることに加え、端子装置Ａに、ケース側誤接続防止ピースＮ１を取り付けるとともに、プラグＰに、プラグ側誤接続防止ピースＮ２を取り付けることにより、更に、プラグＰと端子装置Ａとの誤接続を、確実に防止することができる。
【００６５】
図２３には、ケース側誤接続防止ピースＮ１とプラグ側誤接続防止ピースＮ２との別の実施例が示されている。この実施例においては、ケース側誤接続防止ピースＮ１のブロック状のピース本体Ｎ１’の一方の垂直側面ｎ２側には、一対の誤接続防止用垂直突条ｎ５”が形成されたブロックｎ５’が形成されており、また、ケース側誤接続防止ピースＮ１のブロック状のピース本体Ｎ１’のもう一方の垂直側面ｎ２側には、ブロックｎ５’と同じ厚さであって、誤接続防止用垂直突条ｎ５”が形成されていないブロックｎ６’が形成されている。
【００６６】
また、プラグ側誤接続防止ピースＮ２のピース本体Ｎ２’の幅狭な相対する垂直側面ｎ２０の一方の垂直側面ｎ２０側には、一対の垂直突条ｎ５０’が形成されており、垂直突条ｎ５０’間には、ケース側誤接続防止ピースＮ１の垂直側面ｎ２側に位置する誤接続防止用垂直突条ｎ５”が嵌合される誤接続防止用垂直溝ｎ６０’が形成されている。また、ピース本体Ｎ２’のもう一方の垂直側面ｎ２０側には、ケース側誤接続防止ピースＮ１のブロック状のピース本体Ｎ１’に形成されたブロックｎ６’より薄肉のブロックｎ８０が形成されている。
【００６７】
上述したケース側誤接続防止ピースＮ１とプラグ側誤接続防止ピースＮ２とが、ケース側誤接続防止ピースＮ１とプラグ側誤接続防止ピースＮ２の正常嵌合状態にある際には、ケース側誤接続防止ピースＮ１の垂直側面ｎ２側に位置する誤接続防止用垂直突条ｎ５”が、プラグ側誤接続防止ピースＮ２に形成された誤接続防止用垂直溝ｎ６０’に嵌合され、また、ケース側誤接続防止ピースＮ１の中央部側に位置する中央よりの誤接続防止用垂直突条ｎ５”が、プラグ側誤接続防止ピースＮ２の中央部側に位置する垂直突条ｎ５０’の中央部側に位置するように構成されており、更に、ケース側誤接続防止ピースＮ１のブロック状のピース本体Ｎ１’に形成されたブロックｎ６’が、プラグ側誤接続防止ピースＮ２に形成された薄肉のブロックｎ８０と当接するように構成されている。
【００６８】
このように構成することにより、上述した実施例における、ケース側誤接続防止ピースＮ１とプラグ側誤接続防止ピースＮ２とが、互いに、嵌合された正常嵌合状態とすることができる。
【００６９】
上述したケース側誤接続防止ピースＮ１とプラグ側誤接続防止ピースＮ２との組み合わせは、上述した実施例に限らず、種々の組み合わせを適用することができる。また、ケース側誤接続防止ピースＮ１とプラグ側誤接続防止ピースＮ２との組み合わせ毎に、ケース側誤接続防止ピースＮ１とプラグ側誤接続防止ピースＮ２の色を変えることが好ましい。例えば、図１０〜図１３に示されている実施例においては、ケース側誤接続防止ピースＮ１とプラグ側誤接続防止ピースＮ２の色を、共に、赤とし、また、図２３に示されている実施例においては、ケース側誤接続防止ピースＮ１とプラグ側誤接続防止ピースＮ２の色を、共に、黄色とすることが好ましい。このように構成することにより、端子装置Ａに対して、嵌合されるべきプラグＰが確実に取り付けられ、嵌合されるべきでないプラグＰが誤って取り付けられることがない。具体的に説明すると次の通りである。例えば、ＡＣ１００Ｖ回線に取り付けられている端子装置Ａに対しては、ＡＣ１００Ｖ用のプラグＰが取り付けられるべきである。この場合、端子装置Ａ（ＡＣ１００Ｖ用）のケース側誤接続防止ピースＮ１を赤色にしておくと共に、プラグＰ（ＡＣ１００Ｖ用）のプラグ側誤接続防止ピースＮ２も赤色にしておく。また、ＡＣ２００Ｖ回線に取り付けられている端子装置Ａに対しては、ＡＣ２００Ｖ用のプラグＰが取り付けられるべきである。この場合、端子装置Ａ（ＡＣ２００Ｖ用）のケース側誤接続防止ピースＮ１を黄色にしておくと共に、プラグＰ（ＡＣ２００Ｖ用）のプラグ側誤接続防止ピースＮ２も黄色にしておく。このようにすることで、端子装置ＡとプラグＰとの所定の組み合わせが目視で一目瞭然である。この目視効果により、端子装置Ａ（ＡＣ１００Ｖ用）に対しては、プラグＰ（ＡＣ１００Ｖ用）が確実に取り付けられる。一方、端子装置Ａ（ＡＣ２００Ｖ用）に対しては、プラグＰ（ＡＣ２００Ｖ用）が確実に取り付けられる。言い換えれば、端子装置Ａ（ＡＣ１００Ｖ用）に対して、プラグＰ（ＡＣ２００Ｖ用）が誤って取り付けられることを確実に防止できる。同様に、端子装置Ａ（ＡＣ２００Ｖ用）に対して、プラグＰ（ＡＣ１００Ｖ用）が誤って取り付けられることを確実に防止できる。
【符号の説明】
【００７０】
Ａ・・・・・・・・・・・・端子装置
１・・・・・・・・・・・・ケース
１Ａ・・・・・・・・・・・ケース水平部
１Ｂ・・・・・・・・・・・ケース垂直部
１Ｃ・・・・・・・・・・・プラグ嵌合用凹部
１Ｆ・・・・・・・・・・・嵌合凹部
２・・・・・・・・・・・・端子金具部材
２Ａ・・・・・・・・・・・端子金具本体
２Ｂ・・・・・・・・・・・締め付け金具
Ｐ・・・・・・・・・・・・プラグ
Ｐ１・・・・・・・・・・・プラグ本体
Ｐ２・・・・・・・・・・・蓋体
Ｎ１・・・・・・・・・・・ケース側誤接続防止ピース
Ｎ２・・・・・・・・・・・プラグ側誤接続防止ピース
【図１】
2011108559.tif 000003
【図２】
2011108559.tif 000004
【図３】
2011108559.tif 000005
【図４】
2011108559.tif 000006
【図５】
2011108559.tif 000007
【図６】
2011108559.tif 000008
【図７】
2011108559.tif 000009
【図８】
2011108559.tif 000010
【図９】
2011108559.tif 000011
【図１０】
2011108559.tif 000012
【図１１】
2011108559.tif 000013
【図１２】
2011108559.tif 000014
【図１３】
2011108559.tif 000015
【図１４】
2011108559.tif 000016
【図１５】
2011108559.tif 000017
【図１６】
2011108559.tif 000018
【図１７】
2011108559.tif 000019
【図１８】
2011108559.tif 000020
【図１９】
2011108559.tif 000021
【図２０】
2011108559.tif 000022
【図２１】
2011108559.tif 000023
【図２２】
2011108559.tif 000024
【図２３】
2011108559.tif 000025